(57)【要約】【課題】ＲＦＩＤタグからタグ情報を取得して商品の売上金額を自動計算するレジシステムにおいて、レジ台に読み取り用のシールドボックスを設けることなく、タグ情報を正確に読み取ることができるようにする。【解決手段】レジシステムは、読み取り領域に向けてＲＦＩＤタグからタグ情報を読み取るための電波を放射し、ＲＦＩＤタグから送信されてくる電波を受信するアンテナ装置と、アンテナ装置を介して送受信することで読み取り領域内のＲＦＩＤタグのタグ情報を取得する読み取り装置と、読み取り装置にて読み取られたタグ情報に基づき、読み取り領域を通過した全商品の売上金額を計算するレジ用端末と、を備える。【選択図】図１
2019101816.tif 000002
【特許請求の範囲】
【請求項１】
所定の読み取り領域に向けてＲＦＩＤタグからタグ情報を読み取るための電波を放射し、前記読み取り領域内の商品に付けられた前記ＲＦＩＤタグから送信されてくる電波を受信するアンテナ装置と、
前記アンテナ装置を介して電波を送受信することで前記読み取り領域内の前記ＲＦＩＤタグのタグ情報を取得する読み取り装置と、
前記読み取り装置にて読み取られたタグ情報に基づき、前記読み取り領域を通過した全商品の売上金額を計算するレジ用端末と、
を備えたレジシステム。
【請求項２】
前記読み取り領域は、前記商品を載置して移動可能な台の上の特定領域に設定されている、請求項１に記載のレジシステム。
【請求項３】
前記アンテナ装置として、
前記読み取り領域の上方に配置されて、前記読み取り領域に電波を放射するよう構成された第１のアンテナ装置を備えている、請求項１又は請求項２に記載のレジシステム。
【請求項４】
前記第１のアンテナ装置は、前記読み取り領域外部に電波を放射することがなく、しかも、前記読み取り領域外部のＲＦＩＤタグからの電波を受信することのないように、半値角度が設定された、狭指向性アンテナにて構成されている、請求項５に記載のレジシステム。
【請求項５】
前記読み取り領域には、前記商品若しくは前記商品を入れたバッグが通過可能となるよう、該通過方向に沿って前記読み取り領域の外側に配置された案内壁が設けられており、該案内壁は、前記電波を吸収する電波吸収体若しくは前記電波を反射する反射材にて構成されている、請求項１〜請求項４の何れか１項に記載のレジシステム。
【請求項６】
前記案内壁は、断面がＵ字形状に形成され、該Ｕ字の内側を前記商品若しくは前記商品を入れたバッグが通過するのを案内する案内部材にて構成されている、請求項５に記載のレジシステム。
【請求項７】
前記アンテナ装置として、
前記案内壁、又は、前記案内壁内側の前記読み取り領域の底部、に配置されて、前記読み取り領域内に電波を放射するよう構成された第２のアンテナ装置を備えている、請求項５又は請求項６に記載のレジシステム。
【請求項８】
前記レジ用端末は、前記読み取り装置にて読み取られたタグ情報から商品を特定できない場合に、当該タグ情報は異常であると判断して、タグ情報の異常を報知するよう構成されている、請求項１〜請求項７の何れか１項に記載のレジシステム。
【請求項９】
前記レジ用端末は、前記読み取り装置にて読み取られたタグ情報が異常であると判断すると、当該レジシステムが設置された店舗の出入り口に設けられたゲートを閉じるように構成されている、請求項８に記載のレジシステム。
【請求項１０】
前記レジシステムが設置された店舗の出入り口に設けられ、該出入り口を通過する商品のＲＦＩＤタグから前記タグ情報を取得する第２の読み取り装置と、
前記第２の読み取り装置が取得した前記タグ情報と、前記レジ用端末にて前記売上金額が計算された計算済み商品のタグ情報とを比較し、前記第２の読み取り装置が取得したタグ情報が前記計算済み商品のタグ情報でない場合に、警報を発する盗難防止装置と、
を備えた、請求項１〜請求項９の何れか１項に記載のレジシステム。
【請求項１１】
前記盗難防止装置は、前記第２の読み取り装置が取得したタグ情報が前記計算済み商品のタグ情報でない場合に、前記店舗の出入り口に設けられたゲートを閉じるように構成されている、請求項１０に記載のレジシステム。
【発明の詳細な説明】
【技術分野】
【０００１】
本開示は、商品に付けられたＲＦＩＤタグからタグ情報を取得して、商品の売上金額を自動計算するレジシステムに関する。
【背景技術】
【０００２】
従来、この種のレジシステムとして、売上金額を計算する際に、周囲の商品に付けられたＲＦＩＤタグから誤ってタグ情報を読み取ることのないよう、対象となる商品を、電波を遮蔽可能な収容室に収容するよう構成されたものが提案されている（例えば、特許文献１参照）。
【先行技術文献】
【特許文献】
【０００３】
【特許文献１】特開２０１６−１６２１７７号公報
【発明の概要】
【発明が解決しようとする課題】
【０００４】
上記提案のレジシステムによれば、商品を、電波を遮蔽可能な収容室に収容して、ＲＦＩＤタグからタグ情報を取得するので、客が支払うべき商品の料金を誤って計算するのを防止できるが、商品を収容室に収容する必要があるため、会計までに時間がかかる。
【０００５】
また、レジ台に、電波を遮蔽可能な専用の収容室（所謂シールドボックス）を設置する必要があるため、レジシステムのコストアップを招くという問題もある。
本開示の一局面は、ＲＦＩＤタグからタグ情報を取得して売上金額を自動計算するレジシステムにおいて、レジ台に読み取り用のシールドボックスを設けることなく、商品固有のタグ情報を正確に読み取ることができるようにすることが望ましい。
【課題を解決するための手段】
【０００６】
本開示の一局面のレジシステムは、アンテナ装置と、読み取り装置と、レジ用端末とを備える。
アンテナ装置は、読み取り領域に向けてＲＦＩＤタグからタグ情報を読み取るための電波を放射し、読み取り領域内の商品に付けられたＲＦＩＤタグから送信されてくる電波を受信するものである。
【０００７】
また、読み取り装置は、アンテナ装置を介して電波を送受信することで、読み取り領域内のＲＦＩＤタグのタグ情報を取得し、レジ用端末は、読み取り装置にて読み取られたタグ情報に基づき、読み取り領域を通過した全商品の売上金額を計算する。
【０００８】
このため、本開示のレジシステムによれば、アンテナ装置を介して、読み取り領域に配置されるか、或いは、読み取り領域を移動する商品に付けられたＲＦＩＤタグから、タグ情報を正確に取得できるようになり、売上金額が誤計算されるのを抑制できる。
【０００９】
よって、レジシステムの信頼性を確保するために、従来のように、ＲＦＩＤタグが付けられた商品を、タグ情報読み取り用のシールドボックスに入れる必要がなく、売上金額の計算を短時間で行うことができる。また、シールドボックスをレジ台に設置する必要がないので、レジシステムを低コストで実現できる。
【００１０】
ここで、読み取り領域は、商品を載置して移動可能な台の上の特定領域に設定されていてもよい。また、アンテナ装置としては、読み取り領域の上方に配置されて、読み取り領域に電波を放射するよう構成された第１のアンテナ装置が備えられていてもよい。
【００１１】
このようにすれば、利用者により台の上に載置されて移動される商品に付けられたＲＦＩＤタグから、タグ情報をより正確に取得できるようになり、レジ用端末による売上金額の計算をより精度よく実施することができる。
【００１２】
また、第１のアンテナ装置は、読み取り領域外部に電波を放射することがなく、しかも、読み取り領域外部のＲＦＩＤタグからの電波を受信することのないように、半値角度が設定された狭指向性アンテナにて構成されているとよい。
【００１３】
また、読み取り領域には、商品若しくは商品を入れたバッグが通過可能となるよう、その通過方向に沿って読み取り領域の外側に配置された案内壁が設けられていてもよい。この場合、案内壁は、アンテナ装置にて送受信される電波を吸収する電波吸収体若しくは電波を反射する反射材にて構成するとよい。
【００１４】
このようにすれば、例えば、レジで支払いを行う買い物客等、読み取り領域外部の物体にて反射された電波や、外部のＲＦＩＤタグから読み取り領域内に入射する電波、の影響を受けることなく、読み取り領域内のＲＦＩＤタグからタグ情報を取得できるようになる。従って、当該レジシステムによる売上金額の計算精度をより向上することができる。
【００１５】
なお、案内壁は、断面がＵ字形状に形成され、Ｕ字の内側を商品若しくは商品を入れたバッグが通過するのを案内する案内部材にて構成されていてもよい。そして、このようにすれば、案内部材によって、不要な電波をより良好に遮蔽し、当該レジシステムによる売上金額の計算精度をより向上することができる。
【００１６】
また、このように案内壁を設ける場合、アンテナ装置としては、案内壁、又は、案内壁内側の読み取り領域の底部、に配置されて、読み取り領域内に電波を放射するよう構成された第２のアンテナ装置が備えられていてもよい。
【００１７】
そして、特に、タグ情報を読み取るためのアンテナ装置として、第１のアンテナ装置と第２のアンテナ装置を備えるようにすれば、読み取り領域内のＲＦＩＤタグからタグ情報をより確実に読み取ることができるようになり、タグ情報の読み取りミスを抑制できる。
【００１８】
また、本開示のレジシステムにおいて、タグ情報を読み取るのに利用されるアンテナ装置は、電波を送受信可能な送受信アンテナにて構成されていてもよく、電波を送信する送信アンテナと、電波を受信する受信アンテナとで構成されていてもよい。
次に、レジ用端末は、読み取り装置にて読み取られたタグ情報から商品を特定できない場合に、当該タグ情報は異常であると判断して、タグ情報の異常を報知するよう構成されていてもよい。
【００１９】
このようにすれば、客が、タグ情報を不正に書き換えて商品を購入しようとする場合や、管理者がタグ情報を登録し忘れた商品を購入しようとする場合、或いは、客が他店で購入された商品のタグ情報を誤って読み込んだ場合に、異常を検知して報知できる。
【００２０】
また、この場合、レジ用端末は、読み取り装置にて読み取られたタグ情報が異常であると判断すると、当該レジシステムが設置された店舗の出入り口に設けられたゲートを閉じるように構成されていてもよい。
【００２１】
一方、レジシステムが設置される店舗の出入り口には、出入り口を通過するＲＦＩＤタグからタグ情報を取得する第２の読み取り装置が設けられていてもよい。そして、この場合、盗難防止装置にて、第２の読み取り装置が取得したタグ情報と、レジ用端末にて売上金額が計算された計算済み商品のタグ情報とを比較し、第２の読み取り装置が取得したタグ情報が計算済み商品のタグ情報でない場合に、警報を発するようにするとよい。
【００２２】
また、この場合、盗難防止装置は、第２の読み取り装置が取得したタグ情報が計算済み商品のタグ情報でない場合に、店舗の出入り口に設けられたゲートを閉じるように構成されていてもよい。
【００２３】
このようにすれば、レジ用端末での計算ミスを検出して、未計算の商品が持ち出されるのを防止することができ、延いては、万引きを未然に防止することが可能となる。
【図面の簡単な説明】
【００２４】
【図１】第１実施形態のレジシステム全体の構成を表す概略構成図である。
【図２】第１のアンテナ装置を放射器側から見た構成を表す説明図である。
【図３】第１のアンテナ装置を放射器とは反対側から見た構成を表す説明図である。
【図４】第１のアンテナ装置の指向特性を表す説明図である。
【図５】第１のアンテナ装置における両サイドのアンテナ素子への分配入力に対する重みと、半値角と、サイドローブレベルとの関係を表す説明図である。
【図６】レジ用端末において実行される計算処理を表すフローチャートである。
【図７】盗難防止装置を備えた第２実施形態のレジシステムの構成を表す概略構成図である。
【図８】盗難防止装置にて実行される監視処理を表すフローチャートである。
【図９】盗難防止装置にて実行される監視処理の変形例を表すフローチャートである。
【図１０】レジ用端末において実行される計算処理の変形例を表すフローチャートである。
【図１１】第１のアンテナ装置の変形例を表す説明図である。
【図１２】変形例の第１のアンテナ装置に設けられる送受信信号の処理回路を表す説明図である。
【発明を実施するための形態】
【００２５】
以下に本開示の実施形態を図面と共に説明する。
［第１実施形態］
図１に示すように、本実施形態のレジシステム２は、店舗のレジ台４において、予め設定された読み取り領域６内で、商品に付けられたＲＦＩＤタグ１０から、タグ固有の情報（タグ情報）を取得して、商品の売上金額を自動計算するシステムである。
【００２６】
このため、本実施形態のレジシステム２には、ＲＦＩＤタグ１０からタグ情報を読み取るためのアンテナ装置として、レジ台４の読み取り領域６の上方に、第１のアンテナ装置６０が設けられている。
【００２７】
この第１のアンテナ装置６０は、レジ台４の上方から読み取り領域６に向けて、ＲＦＩＤタグ１０からタグ情報を読み取るための電波を放射し、読み取り領域６内のＲＦＩＤタグ１０から送信されてくる電波を受信する、送受信アンテナとして利用される。
なお、第１のアンテナ装置６０は、レジ台４の読み取り領域６の真上に設けられていてもよく、読み取り領域６の斜め上に設けられていてもよい。
【００２８】
つまり、第１のアンテナ装置６０はレジ台４の上方から読み取り領域に向けて電波を放射し、読み取り領域６内のＲＦＩＤタグ１０から送信されてくる電波を受信することができるように、読み取り領域６の上方に配置されていればよい。
【００２９】
また、第１のアンテナ装置６０は、必ずしも、電波を送受信する送受信アンテナとして利用する必要はなく、電波を送信する送信アンテナと、電波を受信する受信アンテナとの２種類のアンテナにて構成してもよい。
【００３０】
次に、第１のアンテナ装置６０は、レジ台４の読み取り領域外部に電波を放射して、読み取り領域外部のＲＦＩＤタグからの電波を受信することのないよう、垂直方向及び水平方向の半値角度が設定された狭指向性アンテナにて構成されている。
【００３１】
すなわち、本実施形態の第１のアンテナ装置６０は、平面アンテナを、電波を透過可能な樹脂製のアンテナケースに収納することにより構成されている。
第１のアンテナ装置６０を構成する平面アンテナは、図２、図３に示すように、反射器６１０と、３つの放射器６２１〜６２３と、３つの給電回路６３１〜６３３と、分配器６４０と、減衰器６６１，６６２と、同軸ケーブル６５１，６５２と、を備える。
【００３２】
反射器６１０は、矩形形状に形成された金属の板から構成されている。反射器６１０は、無給電素子であり、放射器６２１〜６２３から放射された電波を反射する。そして、図２に示すように、反射器６１０の表面６１０Ａには、３つの放射器６２１〜６２３が設置されている。また、図３に示すように、反射器６１０の裏面６１０Ｂには、３つの給電回路６３１〜６３３と、分配器６４０とが設置されている。
【００３３】
放射器６２１〜６２３は、反射器６１０よりも小さい矩形形状に形成されたパッチアンテナである。放射器６２１〜６２３は、給電素子であり、反射器６１０へ向かう方向と反対の方向に向けて電波を放射する。
【００３４】
放射器６２１〜６２３は、反射器６１０の長手方向に沿って表面６１０Ａ上に等間隔で配列されている。つまり、放射器６２１〜６２３は、アレイアンテナを構成しており、放射器６２２を中心として、放射器６２１，６２３が両端に配置されている。以下では、放射器６２１の配置側を左側、放射器６２３の配置側を右側とする。
【００３５】
第１のアンテナ装置６０は、反射器６１０の表面６１０Ａがレジ台４側を向くように、すなわち、電波がレジ台４に向かって放射されるように、固定具２２を介して店舗の天井２０に固定されている。
【００３６】
分配器６４０は、第１のアンテナ装置６０に入力された高周波信号である送信入力を３つに等分配して、放射器６２１〜６２３に供給する３つの分配入力を生成する回路である。以下の説明では、放射器６２１に供給する分配入力をＳ１、放射器６２２に供給する分配入力をＳ２、放射器６２３に供給する分配入力をＳ３とする。
【００３７】
給電回路６３１〜６３３は、それぞれ別体の基板６７１〜６７３に形成されており、反射器６１０の裏面６１０Ｂから表面６１０Ａの放射器６２１〜６２３に接続し、放射器６２１〜６２３を励振する回路である。
【００３８】
なお、配列の中央に配置された給電回路６３２と分配器６４０は、同じ基板６７２に形成されている。また、基板６７１〜６７３は、反射器６１０の裏面６１０Ｂ上で、放射器６２１〜６２３の裏側の位置辺りに配置されている。
【００３９】
分配器６４０と給電回路６３１〜６３３のそれぞれとは、個別に接続されている。分配器６４０により生成された分配入力Ｓ２は、基板６７２に形成された高周波信号を伝送する線路６５３を介して給電回路６３２に供給される。
【００４０】
また、分配入力Ｓ１は、減衰器６６１及び同軸ケーブル６５１を介して、左側の給電回路６３１に供給され、分配入力Ｓ３は、減衰器６６２及び同軸ケーブル６５２を介して、右側の給電回路６３３に供給される。左側の同軸ケーブル６５１と右側の同軸ケーブル６５２は、同じ長さのケーブルである。
【００４１】
つまり、第１のアンテナ装置６０は、給電回路６３２を中心として左右対称な構成になっている。給電回路６３１〜６３３は、分配入力Ｓ１〜Ｓ３の供給を受けて放射器６２１〜６２３を励振する。励振された放射器６２１〜６２３は電波を放射する。
【００４２】
第１のアンテナ装置６０の出力は、放射器６２１〜６２３の各出力が混合された混合出力となる。つまり、第１のアンテナ装置６０は、放射器６２１〜６２３がそれぞれ放射した電波が合成された合成電波を放射する。
【００４３】
アレイアンテナの特性から、放射器６２１〜６２３の各出力がいずれも同位相となる場合、第１のアンテナ装置６０の半値角は、放射器が１つの場合の半値角よりも狭くなる。
そこで、本実施形態では、第１のアンテナ装置６０を狭指向性アンテナとするため、放射器６２１〜６２３の各出力が同位相となるように、３つの分配入力Ｓ１〜Ｓ３の位相が調整されている。
【００４４】
具体的には、同軸ケーブル６５１，６５２の長さによって分配入力Ｓ１，Ｓ３の位相が調整される。放射器６２１〜６２３の各出力を同位相とするためには、給電回路６３１〜６３３に供給された時点の分配入力Ｓ１〜Ｓ３の位相を同位相とする必要がある。
【００４５】
送信入力が分配されて分配入力Ｓ１〜Ｓ３が生成された時点では、３つの分配入力Ｓ１〜Ｓ３は同位相となっているが、線路６５３及び同軸ケーブル６５１，６５２の伝送中に、分配入力Ｓ１〜Ｓ３の位相は変化する。
【００４６】
中央の給電回路６３２を基準回路として、分配器６４０から給電回路６３２への伝送中に変化した分配入力Ｓ２の位相変化量をθａ［°］とすると、分配器６４０から給電回路６３１，６３３への伝送中に変化した分配入力Ｓ１，Ｓ３の位相変化量θｂをθａ＋２Ｎπ、Ｎは０以上の整数、とする必要がある。
【００４７】
この場合、同軸ケーブル６５１，６５２の波長短縮率をｂ［％］、光速を３．０×１０８、分配入力Ｓ１〜Ｓ３の中心周波数をＦ［ＭＨｚ］とすると、位相変化量θｂ＝θａ＋２Ｎπとする同軸ケーブル６５１，６５２の長さＬは、Ｌ＝（３００／Ｆ）×［（θａ＋２Ｎπ）／（２π）］×（ｂ／１００）［ｍ］と表される。
【００４８】
従って、同軸ケーブル６５１，６５２の長さを、上記Ｌの式を満たす値とすることで、放射器６２１〜６２３の各出力を同位相とすることができる。
一方、放射器６２１〜６２３の各出力を混合することで、混合しない場合よりも、半値角を狭くすることができるが、サイドローブが出現し、指向性が広がる。
【００４９】
このため、本実施形態では、更にサイドローブレベルを低減するため、配列の最も外側に位置する放射器６２１，６２３の出力が、中央の放射器６２２の出力よりも小さくなるように、３つの分配入力Ｓ１〜Ｓ３の電力が調整されている。
【００５０】
つまり、放射器６２１，６２３の出力を放射器６２２の出力よりも小さくするには、３つの分配入力Ｓ１〜Ｓ３に重み付けして、給電回路６３１，６３３に供給する分配入力Ｓ１，Ｓ３の電力を、給電回路６３２に供給する分配入力Ｓ２の電力よりも小さくすればよい。
【００５１】
ただし、図５に示すように、放射器６２１，６２３の出力を低減するほど、サイドローブレベルが低減される一方で、アレイアンテナとしての機能が低下して半値角が増大する。なお、図５は、中心周波数Ｆを９１５ＭＨｚとした場合において、分配入力Ｓ２に対する分配入力Ｓ１，Ｓ３の重みと、半値角及びサイドローブレベルの対応を示す。この重みは負の重みであり、重みの分だけ分配入力Ｓ１，Ｓ３の電力を低減する。
【００５２】
そこで、本実施形態では、放射器６２１〜６２３の出力を同位相に調整し、分配入力Ｓ１，Ｓ３に５ｄＢの重み付けをすることにより、第１のアンテナ装置６０の指向特性を、図４に示すように設定している。
【００５３】
次に、第１のアンテナ装置６０には、第１のアンテナ装置６０を介して電波を送受信することで、レジ台４の読み取り領域６内の商品に付けられたＲＦＩＤタグ１０からタグ情報を取得するための読み取り装置３０が接続されている。
【００５４】
この読み取り装置３０は、レジ台４に設置されたレジ用端末５０との間で無線通信を行う通信装置３２と共に、第１のアンテナ装置６０が固定された天井２０に配置されている。通信装置３２は、例えば、無線ＬＡＮを使って、レジ用端末５０との間で無線通信するためのものである。
【００５５】
そして、読み取り装置３０は、通信装置３２を介してレジ用端末５０から読み取り指令を受けることで、ＲＦＩＤタグ１０からタグ情報を読み取り、読み取ったタグ情報をレジ用端末５０に送信する。なお、読み取り装置３０は、所謂ＲＦＩＤリーダライタとして、周知であることから、読み取り装置３０の構成や読み取り手順等については、ここでは説明を省略する。
【００５６】
次に、レジ台４の読み取り領域６には、ＲＦＩＤタグ１０が付けられた商品若しくはその商品を入れたバッグ８の移動を案内する案内部材４０が設けられている。
案内部材４０は、電波を吸収する電波吸収体若しくは電波を反射可能な反射材にて、所謂Ｕ字溝のように断面がＵ字形状となるように形成されており、対向する側壁が、レジ台４の読み取り領域６を挟んでバッグ８等の移動を案内する、案内壁となっている。
【００５７】
このため、レジ台４の周囲に存在する人物（客や店員）や物体にて反射された電波や、レジ台４の周囲に存在するＲＦＩＤタグからの電波が、レジ台４の読み取り領域６内に侵入し、読み取り装置３０によるタグ情報の読み取り精度が低下するのを抑制できる。
【００５８】
また、案内部材４０には、読み取り装置３０によるＲＦＩＤタグ１０からのタグ情報の読み取り時に、客や店員にその旨を報知するための報知ランプ４２が設けられている。また、レジ台４には、商品若しくはバッグ８が案内部材４０まで接近して、読み取り領域６に入るのを検出するための近接センサ４４が設けられている。
【００５９】
そして、これら報知ランプ４２及び近接センサ４４は、レジ用端末５０に接続されている。また、レジ用端末５０には、客が商品の代金を支払うのに利用する電子決済用のカードからカード情報を読み取るためのカードリーダ５２も接続されている。
【００６０】
次に、レジ用端末５０は、客が商品若しくはバッグ８を持って、レジ台４の読み取り領域６内を移動させた際に、商品に付けられたＲＦＩＤタグ１０からタグ情報を取得することで、客が購入した商品を特定し、その代金を自動で計算して、客に支払わせるためのものである。このため、レジ用端末５０は、通信機能や表示機能を有するコンピュータにて構成されている。
【００６１】
以下、レジ用端末５０にて商品の代金を自動で計算して客に支払わせるために実行される計算処理について、説明する。
図６に示すように、この計算処理においては、まずＳ１００にて、近接センサ４４にて、計算対象となる物品（商品、バッグ８等）が検出されたか否かを判断することで、物品が検出されるのを待機する。そして、近接センサ４４にて物品が検出されると、Ｓ１１０に移行し、通信装置３２に読み取り指令を送信する。
【００６２】
読み取り装置３０は、通信装置３２を介して読み取り指令を受けると、第１のアンテナ装置６０を介して読み取り領域６に電波を放射し、読み取り領域６内を移動するＲＦＩＤタグ１０からタグ情報を取得し、そのタグ情報を、通信装置３２を介してレジ用端末５０に送信する。
【００６３】
このため、Ｓ１１０にて通信装置３２に読み取り指令を送信すると、Ｓ１２０に移行して、読み取り装置３０からタグ情報を取得する受信処理を行う。なお、Ｓ１２０では、報知ランプ４２を点灯させることで、現在、読み取り装置３０によるタグ情報の読み取り中であることを、客や店員に報知する。
【００６４】
また、Ｓ１２０での受信処理実行中は、Ｓ１３０にて、客が購入した多数の商品のＲＦＩＤタグ１０からタグ情報を取得するのに要する時間として予め設定された所定時間が経過したか否かを判断する。
【００６５】
そして、Ｓ１３０にて、所定時間は経過していないと判断されると、Ｓ１２０に移行して、受信処理を継続し、Ｓ１３０にて、所定時間が経過したと判断されると、ＲＦＩＤタグ１０からのタグ情報の取得は完了したと判断して、Ｓ１４０に移行する。
【００６６】
Ｓ１４０では、通信装置３２に読み取り停止指令を送信することで、読み取り装置３０によるタグ情報の読み取り動作を停止させる。また、Ｓ１４０では、Ｓ１１０で物品を検出したと判定されてからＳ１２０の受信処理にて取得した全てのタグ情報に基づき、予め設定されたデータベースから、客が今回購入した全商品の識別情報（商品名等）と金額情報とを取得する。なお、データベースは、読み取り装置３０に記憶されていてもよく、読み取り装置３０に対する上位の管理装置に記憶されていてもよい。
【００６７】
そして、続くＳ１５０では、Ｓ１４０にて取得した全商品の識別情報と金額情報とに基づき、売上金額（合計金額）を計算し、続くＳ１６０にて、これら各情報を売り上げ情報として読み取り装置３０の表示部、換言するとレジ用端末５０の表示部、に表示する。
【００６８】
このように、表示部に売り上げ情報を表示すると、客は、例えば、表示部の所定領域を押下することで、売り上げ情報を確認したことを入力するので、Ｓ１７０に移行して、確認入力があったか否かを判断することで、売り上げ情報が確認されるのを待機する。なお、売り上げ情報が確認されなければ、支払いエラーとして、その旨を店員に通知し、Ｓ１００に移行する。
【００６９】
Ｓ１７０にて、売り上げ情報が確認されたと判断されると、Ｓ１８０に移行して、客が表示部に表示した売上金額（合計金額）の支払いを行うのを待機する決済処理を実行する。なお、この決済処理では、客がカードリーダ５２に読み取らせたカード情報に基づき、金融機関のサーバにアクセスして、料金を取得する電子決済を含む、各種決済処理が実施される。
【００７０】
そして、Ｓ１８０での決済処理が完了すると、Ｓ１９０にて、その決済情報や売り上げ情報を所定のデータベースに書き込み、Ｓ１００に移行する。
以上説明したように、本実施形態のレジシステム２によれば、第１のアンテナ装置６０が狭指向性アンテナにて構成されており、レジ台４の読み取り領域６の上方に配置されている。このため、読み取り装置３０は、第１のアンテナ装置６０を介して、客がレジ台４の読み取り領域６に移動させた商品のＲＦＩＤタグ１０から、タグ情報を正確に読み取ることができる。
【００７１】
また、レジ台４の読み取り領域６には、案内部材４０が設けられており、この案内部材４０にて、読み取り領域６に侵入する不要な電波を排除することができることから、読み取り装置３０によるタグ情報の読み取りミスが発生するのを抑制することができる。
【００７２】
この結果、レジ用端末５０にて、客が購入した商品の売上金額を誤計算されるのを抑制し、信頼性の高いレジシステムを実現できる。
また、レジシステムの信頼性を確保するために、従来のように、ＲＦＩＤタグ１０が付けられた商品を、タグ情報読み取り用のシールドボックスに入れる必要がないことから、計算処理を短時間で行うことができる。また、シールドボックスをレジ台に設置する必要がないので、従来に比べて、レジシステムを低コストで実現できる。
［変形例］
上記実施形態では、ＲＦＩＤタグ１０からタグ情報を取得するのに用いる第１のアンテナ装置６０は、レジ台４の読み取り領域６の上方に設置された狭指向性アンテナであるものとして説明した。
【００７３】
これに対し、例えば、図１に点線で示すように、案内部材４０において、対向する案内壁の一方若しくは両方、或いは、案内部材４０の底面（換言すれば読み取り領域の底部）に第２のアンテナ装置６５を設け、読み取り装置３５にて、第２のアンテナ装置６５を利用して、読み取り領域６内のＲＦＩＤタグ１０からタグ情報を取得するようにしてもよい。
【００７４】
このようにすれば、レジ台４の読み取り領域６の上方に配置された第１のアンテナ装置６０と、案内部材４０に設けられた第２のアンテナ装置６５とを利用して、読み取り領域内のＲＦＩＤタグ１０からタグ情報を読み取ることができるようになり、タグ情報の読み取りミスを低減することができる。
【００７５】
なお、第２のアンテナ装置６５は、案内部材４０に設けられることから、第１のアンテナ装置６０のように狭指向性アンテナにて構成する必要はなく、平面アンテナにて構成すればよい。
【００７６】
また、第２のアンテナ装置６５は、第１のアンテナ装置６０と同様、電波を送受信する送受信アンテナとして構成してもよく，或いは、送信アンテナと受信アンテナとの２種類のアンテナにて構成してもよい。
【００７７】
また、このように案内部材４０に第２のアンテナ装置６５を設ける場合、第２のアンテナ装置６５だけでタグ情報を読み取ることができれば、読み取り領域の上方に配置する第１のアンテナ装置６０は不要となる。従って、この場合、読み取り領域上方の第１のアンテナ装置６０は、必ずしも設ける必要はない。
【００７８】
次に、本実施形態では、タグ情報の読み取り領域は、レジ用端末５０が設けられるレジ台４の上の特定領域に設定されるものとして説明した。
これに対し、図１に点線で示すように、レジ台４がレジ台本体５と商品の載置台７とに分かれている場合には、載置台７の上の特定領域をタグ情報の読み取り領域として設定して、その読み取り領域に案内部材４０を設けるようにしてもよい。
【００７９】
つまり、タグ情報の読み取り領域は、客が商品を配置して移動可能な領域に設定されていればよく、レジ台４の上に限定されるものではない。
［第２実施形態］
次に、上記第１実施形態では、第１のアンテナ装置６０を介して、レジ台４の読み取り領域を通過する商品のＲＦＩＤタグ１０からタグ情報を取得し、商品の売上金額を計算するレジ用端末５０を備えたレジシステムについて説明した。
【００８０】
これに対し、店舗から商品が盗まれるのを防止するため、図７に示すように、店舗の出入り口７２に、タグ情報を取得するためのアンテナ装置７４と、アンテナ装置７４を介してタグ情報を読み取る第２の読み取り装置７６を設けるようにしてもよい。
【００８１】
以下、このように構成された図７に示すレジシステム７０を、本開示の第２実施形態として説明する。
図７に示すように、本実施形態のレジシステム７０は、複数のレジ台４Ａ〜４Ｃが設置され、各レジ台４Ａ〜４Ｃに、上記第１実施形態と同様に構成されたレジシステム２Ａ〜２Ｃが設けられた店舗に構築されている。
【００８２】
そして、この店舗の出入り口７２には、アンテナ装置７４と第２の読み取り装置７６が設けられており、第２の読み取り装置７６は、本開示の盗難防止装置として機能するサーバ８０に接続されている。
【００８３】
第２の読み取り装置７６は、アンテナ装置７４を介して、出入り口７２を通過するＲＦＩＤタグを常時監視しており、ＲＦＩＤタグが通過すると、そのＲＦＩＤタグからタグ情報を取得して、サーバ８０に通知する。
【００８４】
また、サーバ８０には、各レジ台４Ａ〜４Ｃに設置されたレジシステム２Ａ〜２Ｃを構成するレジ用端末５０Ａ〜５０Ｃが接続されている。そして、各レジ用端末５０Ａ〜５０Ｃは、上述した計算処理の結果として、タグ情報を含む商品毎の売り上げ情報や決済情報をサーバ８０に通知する。
【００８５】
なお、サーバ８０は、レジ用端末５０Ａ〜５０Ｃから通知される売り上げ情報や決済情報に基づき、店舗内に残っている商品や売上金額を管理するためのものである。
そして、サーバ８０は、第２の読み取り装置７６からタグ情報が通知されると、図８に示す盗難防止処理を実行することで、通知されたタグ情報は料金支払済みの商品のものであるか否かを判断して、料金が未払いである場合に、警報装置７８を作動させる。
【００８６】
すなわち、図８に示すように、盗難防止処理においては、まずＳ２１０にて、第２の読み取り装置７６から、店舗の出入り口７２を通過するＲＦＩＤタグのタグ情報を取得する。
【００８７】
そして、Ｓ２１０にて、タグ情報が取得されると、Ｓ２２０にて、その取得したタグ情報と、レジ用端末５０Ａ〜５０Ｃから取得した売り上げ情報とを比較し、Ｓ２３０に移行する。
【００８８】
Ｓ２３０では、Ｓ２２０での比較結果から、出入り口７２を通過するＲＦＩＤタグのタグ情報は、レジ用端末５０Ａ〜５０Ｃにて売上金額が計算されて、料金支払済みの商品のタグ情報であるか否かを判断する。
【００８９】
そして、出入り口７２を通過するＲＦＩＤタグのタグ情報は、料金支払済みの商品のタグ情報であれば、そのまま当該盗難防止処理を終了し、そうでなければ、Ｓ２４０に移行して、警報装置７８を一定時間作動させた後、当該盗難防止処理を終了する。
【００９０】
この結果、本実施形態のレジシステムによれば、第１実施形態と同様の効果が得られるだけでなく、未払いの商品が店舗の外に持ち出されるのを防止することができ、延いては、万引きを未然に防止することが可能となる。
［変形例］
本実施形態では、盗難防止装置としてのサーバ８０は、第２の読み取り装置７６にて未払いの商品のタグ情報が読み取られると、警報装置７８から警報を発することで、商品が盗まれるのを防止するようにしている。しかし、警報を発するだけでは、客が逃走して、未払いの商品が店舗の外に持ち出されることがある。
【００９１】
このため、図７に点線で示すように、店舗の出入り口７２には、本開示のゲートとして、盗難防止用のセキュリティゲート７９を設け、第２の読み取り装置７６にて未払いの商品のタグ情報が読み取られると、セキュリティゲート７９を閉じて、客が逃げるのを阻止するようにしてもよい。
【００９２】
そして、この場合、サーバ８０は、図９に示す手順で盗難防止処理を実施するようにするとよい。
すなわち、図９に示す盗難防止処理においては、図８に示す盗難防止処理と同様、Ｓ２１０〜Ｓ２３０の処理を順に実行する。
【００９３】
そして、Ｓ２３０にて、出入り口７２を通過するＲＦＩＤタグのタグ情報は、料金支払済みの商品のタグ情報ではないと判断すると、Ｓ２５０に移行して、サーバ８０に設けられた表示部（図示せず）に異常（エラー）を表示する。
【００９４】
また、Ｓ２５０にてエラーを表示すると、Ｓ２４０に移行して、警報装置７８を一定時間作動させ、続くＳ２６０にて、セキュリティゲート７９を閉じることで、客が出入り口７２を通過するのを阻止する。
【００９５】
こうして、セキュリティゲート７９を閉じると、Ｓ２７０に移行して、警備員等にてサーバ８０に設けられたリセットボタンが操作されたか否かを判断する。
そして、リセットボタンが操作されていれば、Ｓ２８０にて、表示部へのエラー表示を消去し、Ｓ２９０にて、セキュリティゲート７９を開けて、出入り口７２を開放し、当該盗難防止処理を終了する。
【００９６】
また、Ｓ２７０にて、リセットボタンは操作されていないと判断された場合には、セキュリティゲート７９を閉じたまま、当該盗難防止処理を終了する。
このように盗難防止処理を実行するようにすれば、未払いの商品が店舗の外に持ち出されるのをより確実に防止することができるようになる。
【００９７】
以上、本発明を実施するための第１、第２実施形態及び各実施形態の変形例について説明したが、本発明は上述の実施形態に限定されることなく、更に種々変形して実施することができる。
【００９８】
例えば、レジ用端末５０、５０Ａ〜５０Ｃは、読み取り装置３５にて読み取られた読み取り領域内のタグ情報から、商品を特定して、売上金額を計算するが、タグ情報から商品を特定できないことがある。
【００９９】
具体的には、客が、タグ情報を不正に書き換えた場合や、管理者が商品のタグ情報を登録し忘れている場合には、読み取り装置３５にて読み取られたタグ情報から、店舗内の商品を特定することができない。
【０１００】
また、読み取り装置３５が、客が他店で購入した商品のタグ情報を誤って読み込んだような場合にも、そのタグ情報から店舗内の商品を特定することができない。
そこで、上記各実施形態のレジ用端末５０、５０Ａ〜５０Ｃにおいては、読み取り装置３５にて読み取られたタグ情報から商品を特定して金額情報を取得できない場合に、タグ情報の読み取りが異常であると判断して、その旨を報知するようにしてもよい。
【０１０１】
また、第２実施形態のレジシステムのように、店舗の出入り口７２に、セキュリティゲート７９が設けられている場合には、タグ情報の読み取りが異常であると判断した際に、セキュリティゲート７９を閉じるようにしてもよい。
【０１０２】
このようにすれば、タグ情報の読み取りに異常があった場合に、その旨を報知して、セキュリティゲート７９を閉じることで、売上金額の計算ミスを防止すると共に、未計算の商品が店舗の外に持ち出されるのを防止することができるようになる。
【０１０３】
この場合、レジ用端末５０、５０Ａ〜５０Ｃにおいては、図１０に示す手順で、売上金額の計算処理を実施するようにすればよい。
なお、図１０に示す計算処理においては、図６に示した計算処理と略同様の手順で、Ｓ１００〜Ｓ１９０の処理が実行されることから、以下の説明では、図６に示した計算処理と異なる点について説明する。
【０１０４】
図１０に示すように、Ｓ１４０にて、客が今回購入した商品の識別情報及び金額情報が取得されると、Ｓ３００に移行し、Ｓ１４０では、Ｓ１２０の受信処理にて取得した全てのタグ情報に対応した商品の金額情報を取得できたか否かを判断する。
【０１０５】
そして、Ｓ３００にて、Ｓ１２０の受信処理で取得した全てのタグ情報に対応した商品の金額情報を取得できたと判断されると、Ｓ１５０に移行し、そうでなければ、Ｓ３１０に移行する。
【０１０６】
Ｓ３１０では、Ｓ１４０において商品を識別して金額情報を取得できなかったタグ情報が存在するので、読み取り装置３５を介して読み取ったタグ情報に異常があると判断して、レジ用端末５０、５０Ａ〜５０Ｃの表示部に異常（エラー）を表示する。
【０１０７】
そして、続くＳ３２０では、レジ用端末５０、５０Ａ〜５０Ｃに設けられた警報装置（図示せず）、若しくは、出入り口７２に設けられた警報装置７８を一定時間作動させて、異常（エラー）を報知する。また、続くＳ３３０では、セキュリティゲート７９を閉じることで、客が出入り口７２を通過するのを阻止する。
【０１０８】
こうして、セキュリティゲート７９を閉じると、Ｓ３４０に移行して、警備員等にてレジ用端末５０、５０Ａ〜５０Ｃに設けられたリセットボタン、若しくは、出入り口７２を監視するサーバ８０に設けられたリセットボタン、が操作されたか否かを判断する。
【０１０９】
そして、リセットボタンが操作されていれば、Ｓ３５０にて、表示部へのエラー表示を消去し、Ｓ３６０にて、セキュリティゲート７９を開けて、出入り口７２を開放し、Ｓ１００に移行する。
【０１１０】
また、Ｓ３４０にて、リセットボタンは操作されていないと判断された場合には、セキュリティゲート７９を閉じたまま、Ｓ１００に移行する。
このように計算処理を実行するようにすれば、読み取り装置３５にて読み取られた読み取り領域内のタグ情報に、商品を特定して金額情報を取得できないタグ情報が存在する場合に、その旨を報知して、警備員等に確認させることができる。
【０１１１】
また、図１０に示した計算処理では、商品を特定して金額情報を取得できないタグ情報が存在する場合に、その旨を報知するだけでなく、出入り口７２のセキュリティゲート７９を閉じるので、客が商品を不正に持ち出すのを防止できる。
【０１１２】
次に、上記実施形態では、第１のアンテナ装置６０を構成する狭指向性アンテナは、３つの放射器６２１〜６２３を一列に並べて、各放射器６２１〜６２３の出力を重み付け合成するように構成されるものとして説明した。
【０１１３】
これに対し、図１１に示すように、上記実施形態と同様に構成された狭指向性アンテナ６０Ａ，６０Ｂ，６０Ｃを、放射器６２１〜６２３の配列方向の軸に対し互いに平行となるように、所定の間隔を空けて配置することで、読み取り領域の上方に配置する第１のアンテナ装置９０を構成してもよい。
【０１１４】
そして、第１のアンテナ装置６０に代えて、このように構成された第１のアンテナ装置９０を用いるようにすれば、第１のアンテナ装置９０の指向特性をより鋭くし、タグ情報の読み取り領域を制限することができる。
【０１１５】
つまり、上記実施形態の第１のアンテナ装置６０を構成する狭指向性アンテナは、３つの放射器６２１〜６２３を一列に並べているため、放射器６２１〜６２３を配列方向に沿ったビーム幅が狭くなり、アンテナ装置の指向特性を鋭くすることができる。
【０１１６】
このため、上記実施形態では、第１のアンテナ装置６０によるタグ情報の読み取り領域を、案内部材４０においてＲＦＩＤタグ１０が移動可能な方向と直交する幅方向に制限することができる。
【０１１７】
これに対し、図１１に示す第１のアンテナ装置９０では、上記実施形態と同様に構成された狭指向性アンテナ６０Ａ，６０Ｂ，６０Ｃを平行に配置しているため、その配置方向に沿ったビーム幅も狭くなる。
【０１１８】
従って、図１１に示す第１のアンテナ装置９０によれば、狭指向性アンテナ６０Ａ，６０Ｂ，６０Ｃをそれぞれ構成する放射器６２１〜６２３の配列方向と、この配列方向に直交する方向との２方向にビーム幅を絞り、アンテナ装置全体の指向特性をより鋭くすることができる。
【０１１９】
このため、図１１に示す第１のアンテナ装置９０を用いてタグ情報を読み取るようにすれば、タグ情報の読み取り領域を、案内部材４０の幅方向だけでなく、案内部材４０においてＲＦＩＤタグ１０が移動する方向にも制限することができる。
【０１２０】
なお、この場合、図１２に示すように、各狭指向性アンテナ６０Ａ，６０Ｂ，６０Ｃの出力を、分配／混合器９６にて合成する必要がある。そして、この合成は、放射器６２１〜６２３の出力を重み付け合成するときと同様、重み付け合成するとよい。
【０１２１】
また、このためには、図１２に示すように、中央の狭指向性アンテナ６０Ｂを挟んで、両側に配置される狭指向性アンテナ６０Ｂ，６０Ｃからの伝送経路に、減衰器９２，９４を設けるようにすればよい。
【０１２２】
また次に、上記実施形態では、読み取り装置３０によるタグ情報の読み取り精度を高めるために、レジ台４の読み取り領域６に案内部材４０を設けているが、案内部材４０や、案内部材４０の側壁にて構成される案内壁等は、必ずしも設置する必要はなく、狭指向性アンテナをレジ台４の上方に設置するだけでもよい。
【０１２３】
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【０１２４】
２，２Ａ〜２Ｃ，７０…レジシステム、４，４Ａ〜４Ｃ…レジ台、５…レジ台本体、６…読み取り領域、７…載置台、８…バッグ、１０…ＲＦＩＤタグ、２０…天井、２２…固定具、３０，３５…読み取り装置、３２…通信装置、４０…案内部材、４２…報知ランプ、４４…近接センサ、５０，５０Ａ〜５０Ｃ…レジ用端末、５２…カードリーダ、６０，９０…第１のアンテナ装置、６０Ａ〜６０Ｃ…狭指向性アンテナ、６５…第２のアンテナ装置、７２…出入り口、７４…アンテナ装置、７６…第２の読み取り装置、７８…警報装置、７９…セキュリティゲート、８０…サーバ、６１０…反射器、６２１〜６２３…放射器、６３１〜６３３…給電回路、６４０…分配器、６５１，６５２…同軸ケーブル、６５３…線路、６６１，６６２，９２，９４…減衰器、６７１，６７２…基板、９６…分配／混合器。
【図１】
2019101816.tif 000003
【図２】
2019101816.tif 000004
【図３】
2019101816.tif 000005
【図４】
2019101816.tif 000006
【図５】
2019101816.tif 000007
【図６】
2019101816.tif 000008
【図７】
2019101816.tif 000009
【図８】
2019101816.tif 000010
【図９】
2019101816.tif 000011
【図１０】
2019101816.tif 000012
【図１１】
2019101816.tif 000013
【図１２】
2019101816.tif 000014